(57)【特許請求の範囲】
【請求項１】
照明器具を下面に固定する天蓋と、
前記天蓋より吊り下げられた照明板と、
前記照明板に設けられた複数の透光孔に上方から落とし込んで装着され、弾性力により両側面を内側に押し縮めることが可能な断面Ｖ字形状の照明ブロックと、
前記照明ブロックの上部側面に設けられ、前記透光孔の周縁に係合させる固定溝と、
前記照明ブロックの上面に固定され、前記照明ブロックの両側面が内側に押し縮まるのを阻止する光拡散ブロックと
を備えることを特徴とするエレベータかご室天井照明装置。
【請求項２】
前記光拡散ブロックは、照明ブロックの上面に接着剤等で直接固定されていることを特徴とする請求項１記載のエレベータかご室天井照明装置。
【請求項３】
照明器具を下面に固定する天蓋と、
前記天蓋より吊り下げられた照明板と、
前記照明板に設けられた複数の透光孔に上方から落とし込んで装着され、弾性力により両側面を内側に押し縮めることが可能な断面Ｖ字形状の照明ブロックと、
前記照明ブロックの上部側面に設けられ、前記透光孔の周縁に係合させる固定溝と、
前記照明ブロックの内側に挿入され、前記照明ブロックの両側面が内側に押し縮まるのを阻止する断面Ｔ字形状の光拡散ブロックと
を備えることを特徴とするエレベータかご室天井照明装置。
【発明の詳細な説明】
【０００１】
【発明の属する技術分野】
本発明は、エレベータかご室を天井から照明するエレベータかご室天井照明装置に関する。
【０００２】
【従来の技術】
図１３は、第１の従来例に係るエレベータかご室天井照明装置を下から見上げた状態を示す平面図である。また、図１４は、図１３のエレベータかご室天井照明装置のＡ−Ａ断面図である。さらに、図１５は、図１４のＢ部断面図である。
【０００３】
これらの図より、２０は天蓋、２１は天蓋２０の下面に配置された照明灯、２２は天蓋２０より吊り下げられた照明板、２３は照明板２２を吊り下げる吊り下げ具、２４は照明板２２に設けられた複数の透光孔、２５は各透光孔２４に装着された透明アクリルブロック、２６は照明灯２１の光を拡散させる乳白アクリル板、２７は照明板２２に取り付けられたスタッド、２８はスタッド２７に取付けられたナット、２９は照明板２２の上面に接着固定され、照明板２２の剛性を確保するＬ字補強部材である。
【０００４】
第１の従来例においては、照明板２２に設けられた透光孔２４に対して、上方から透明アクリルブロック２５を落とし込んで装着し、この透明アクリルブロック２５の上面に乳白アクリル板２６を重ねて装着している。そして、透明アクリルブロック２５と乳白アクリル板２６は、照明板２２に取り付けられたスタッド２７とナット２８によってネジ止めされている。
【０００５】
次に、第２の従来例に係るエレベータかご室天井照明装置を示す。
図１６は、第２の従来例に係るエレベータかご室天井照明装置の要部を拡大した部分断面図である。同図より、３０は天蓋より吊り下げられた照明板、３１は照明板３０に設けられた複数の透光孔、３２は各透光孔３１に装着された透明アクリルブロック、３３は透明アクリルブロック３２の上に重ねて配置された乳白アクリル板、３４は照明板３０に取り付けられたスタッド、３５はスタッド３４に取付けられたナットである。
【０００６】
第２の従来例においては、照明板３０に設けられた透光孔３１に対して、上方から透明アクリルブロック３２を落とし込んで装着し、この透明アクリルブロック３２の上に乳白アクリル板３３を重ねて装着している。そして、乳白アクリル板３３は、照明板３０に取り付けられたスタッド３４とナット３５によってネジ止めされている。
なお、他の従来の技術としては、特開平９−１０００８１号公報、特開平８−１６５０７８号公報、特開平６−２３４４８２号公報、特開平６−２５５９５７号公報、実開昭６１−９８７８１号公報、特開昭６２−８８７９３号公報等がある。
【０００７】
【発明が解決しようとする課題】
しかしながら、第１の従来例に係るエレベータかご室天井照明装置は、透明アクリルブロック２５を落とし込んだ透光孔２４の周囲に乳白アクリル板２６を取り付け固定するためのスタッド２７、ナット２８を取り付けるスペースと、照明板２２の剛性を得るためのＬ字補強部材２９を取り付けるスペースとを確保する必要があり、この制約により照明板２２の意匠の自由度が低く問題であった。
また、透明アクリルブロック２５の個数が多くなると、乳白アクリル板２６の枚数や、乳白アクリル板２６を取り付けるスタッド２７及びナット２８等の個数が増えるので、組立の手間や時間が掛かり問題であった。
【０００８】
一方、第２の従来例に係るエレベータかご室天井照明装置は、透明アクリルブロック３２が照明板３０に固定されていないため、運搬時の振動等によって透明アクリルブロック３２がガタツキ、傷が付いたり破損したりする原因となり問題であった。具体的には、図１７に示すように、運搬時の振動等によって透明アクリルブロック３２に対して下から荷重が掛かった場合、透明アクリルブロック３２の上面に載置された乳白アクリル板３３が上方に押圧される。乳白アクリル板３３は、所定間隔３６ごとにスタッド３４とナット３５で固定されているので、乳白アクリル板３３は上方に変形して浮き上がり、限界値を越えた場合には、図１８に示すように、乳白アクリル板３３は破壊されてしまう。
【０００９】
本発明は、このような問題を解決するためになされたもので、照明板の意匠の自由度が高く、組立作業が容易で且つ組立作業の時間が短縮され、運搬時の振動等によっても傷や破損が生じ難いエレベータかご室天井照明装置を提供することを目的とする。
【００１０】
【課題を解決するための手段】
本発明のエレベータかご室天井照明装置は、照明器具を下面に固定する天蓋と、天蓋より吊り下げられた照明板と、照明板に設けられた複数の透光孔に上方から落とし込んで装着され、弾性力により両側面を内側に押し縮めることが可能な断面Ｖ字形状の照明ブロックと、照明ブロックの上部側面に設けられ、透光孔の周縁に係合させる固定溝とを備えることを特徴とする。
【００１１】
ここで、照明ブロックの上面に固定され、照明ブロックの両側面が内側に押し縮まるのを阻止する光拡散ブロックを更に備えることを特徴とする。
【００１２】
また、照明ブロックの内側に挿入され、照明ブロックの両側面が内側に押し縮まるのを阻止する断面Ｔ字形状の光拡散ブロックを更に備えることを特徴とする。
【００１３】
さらに、光拡散ブロックは、照明ブロックの上面に接着剤等で直接固定されていることを特徴とする。
【００１４】
本発明のエレベータかご室天井照明装置は、照明器具を下面に固定する天蓋と、天蓋より吊り下げられた照明板と、照明板に設けられた複数の透光孔に上方から落とし込んで装着された断面Ｔ字形状の照明ブロックと、照明板の上面に固定されて照明板を補強する基体部および当該基体部の一端から立ち上がって照明ブロックの上端部を側方から係止する係止部を有する断面Ｌ字形状の固定具とを備えることを特徴とする。
【００１５】
ここで、固定具の内曲げ角度が鈍角であることを特徴とする。
【００１６】
本発明のエレベータかご室天井照明装置は、照明器具を下面に固定する天蓋と、天蓋より吊り下げられた照明板と、照明板に設けられた複数の透光孔に上方から落とし込んで装着された断面Ｔ字形状の照明ブロックと、照明ブロックの上部側面に設けられた固定溝と、照明板の上面に設けられ、固定溝に係合させて照明ブロックを固定する押え部材とを備えることを特徴とする。
【００１７】
【発明の実施の形態】
以下、本発明に係るエレベータかご室天井照明装置の好適な実施の形態について添付図面を参照して説明する。
実施の形態１．
図１は、実施の形態１に係るエレベータかご室天井照明装置を下から見上げた状態を示す平面図である。また、図２は、図１のエレベータかご室天井照明装置のＣ−Ｃ断面図である。さらに、図３は、図２のＤ部断面図である。
【００１８】
これらの図より、１は天蓋、２は天蓋１の下面に配置された照明灯、３は天蓋１より吊り下げられた照明板、４は照明板３を吊り下げる吊り下げ具、５は照明板３に設けられた複数の透光孔、６は各透光孔５に上方から落とし込んで装着され、弾性力により両側面を内側に押し縮めることが可能な断面Ｖ字形状の透明アクリルブロック（照明ブロック）、７は透明アクリルブロック６の上面に接着剤等で取り付けられ、照明灯２の光を拡散させる乳白アクリル板（光拡散ブロック）である。
透明アクリルブロック６の両上端部には、外側に張り出したツメ部８が設けられている。また、透明アクリルブロック６の上部側面で且つツメ部８の下には、照明板３の板厚相当の溝幅を有する固定溝９がツメ部８に沿って設けられている。
【００１９】
以上のように構成されたエレベータかご室天井照明装置において、図４，５に示すように、弾性力のある断面Ｖ字形状の透明アクリルブロック６に対してツメ部８の両側面を内側に押し縮めることにより、透明アクリルブロック６の先端からツメ部８の根元までが照明板３の透光孔５の幅ｄより小さくなる。そして、この状態を保ったままで透光孔５に上から落とし込むことにより、ツメ部８の根元まで透明アクリルブロック６が透光孔５に挿入される。
【００２０】
この状態でツメ部８の両側面を内側に押し縮める力を緩めることにより、透明アクリルブロック６の弾性力が働き、透明アクリルブロック６は元の形状に戻る。この際、ツメ部８に沿って設けられた固定溝９が透光孔５の周縁に係合し固定される。左右の固定溝９の底面間で測った透明アクリルブロック６の横幅は、透光孔５の幅ｄより広いため、固定溝９が透光孔５の周縁に係合した状態では、常に透明アクリルブロック６は広がる方向に加圧されるため、透明アクリルブロック６が透光孔５から抜け落ちることはない。さらに、透明アクリルブロック６の上面に乳白アクリル板７を接着剤等で取り付けて、左右のツメ部８が内側に押し縮まるのを阻止するため、透明アクリルブロック６は透光孔５に確実に固定される。
【００２１】
このため、運搬時の振動やいたずら等によって、透明アクリルブロック６に対して下から押し上げる力が掛かった場合であっても、透明アクリルブロック６の固定溝９は照明板３の透光孔５に嵌まり込んで確実に固定されるため、照明板３から透明アクリルブロック６が外れることはない。また、乳白アクリル板７は透明アクリルブロック６の上面に接着剤等で直接固定されているので、従来のように、乳白アクリル板７をスタッドとナットで固定する必要がなく、組立作業時間を短縮することができ、ナットの緩みなどによる照明板３のガタツキを未然に防止することができる。
【００２２】
実施の形態２．
次に、実施の形態２に係るエレベータかご室天井照明装置を説明する。図６は、実施の形態２に係るエレベータかご室天井照明装置の要部を拡大した部分断面図である。この実施の形態２が図３に示す実施の形態１と異なるのは、乳白アクリル板７の代わりに断面Ｔ字形状の乳白アクリル板（光拡散ブロック）１０を備えている点である。その他の構成については実施の形態１と同一又は同等である。なお、実施の形態１と同一又は同等な構成部分については同一符号を付し、その説明は省略する。
【００２３】
図７，８に示すように、弾性力のある断面Ｖ字形状の透明アクリルブロック６に対してツメ部８の両側面を内側に押し縮めて、この状態を保ったままで透光孔５に上から落とし込むことにより、透明アクリルブロック６はツメ部８の根元まで透光孔５に挿入される。この状態でツメ部８の両側面を内側に押し縮める力を緩めることにより、透明アクリルブロック６の弾性力が働き、透明アクリルブロック６は元の形状に戻る。この際、ツメ部８に沿って設けられた固定溝９が透光孔５の周縁に係合し、透明アクリルブロック６は透光孔５に固定される。
【００２４】
さらに、透明アクリルブロック６の内側に断面Ｔ字形状の乳白アクリル板１０が挿入され、乳白アクリル板１０は接着剤等で固定される。このように、透明アクリルブロック６の両側面は、乳白アクリル板１０によって内側から外側に押されるので、透明アクリルブロック６が内側に押し縮められることはなく、透明アクリルブロック６の固定溝９は照明板３の透光孔５に一層強力に固定される。
【００２５】
このため、運搬時の振動やいたずら等によって、透明アクリルブロック６に対して下から押し上げる力が掛かった場合であっても、透明アクリルブロック６の固定溝９は照明板３の透光孔５に嵌まり込んで確実に固定されるため、照明板３から透明アクリルブロック６が外れることはない。また、乳白アクリル板７は透明アクリルブロック６の上面に接着剤等で直接固定されているので、従来のように、乳白アクリル板７をスタッドとナットで固定する必要がなく、組立作業時間を短縮することができ、ナットの緩みなどによる照明板３のガタツキを未然に防止することができる。
【００２６】
実施の形態３．
次に、実施の形態３に係るエレベータかご室天井照明装置を説明する。図９は、実施の形態３に係るエレベータかご室天井照明装置の要部を拡大した部分断面図である。この実施の形態３が図３に示す実施の形態１と異なるのは、透明アクリルブロック６の代わりに、断面Ｔ字形状の透明アクリルブロック（照明ブロック）１１と、透明アクリルブロック１１の両脇に配置されたＬ字補強具１２と、Ｌ字補強具１２取付用のスタッド１３及びナット１４とを備えている点である。その他の構成については実施の形態１と同一又は同等である。なお、実施の形態１と同一又は同等な構成部分については同一符号を付し、その説明は省略する。
【００２７】
図９に示すように、透明アクリルブロック１１は断面Ｔ字形状を有し、両上端部には外側に張り出したツメ部１５が設けられている。また、Ｌ字補強具１２は断面Ｌ字形状を有し、照明板３の上面に固定されて照明板３を補強する基体部１２ａと、当該基体部１２ａの一端から立ち上がって透明アクリルブロック１１のツメ部１５を側方から係止する係止部１２ｂとを備えている。
【００２８】
Ｌ字補強具１２の基体部１２ａは、照明板３の剛性を確保するために、接着剤等で照明板３に取り付けられている。また、Ｌ字補強具１２の係止部１２ｂは、内曲げ角度が鈍角になるよう外側に傾斜しており、透明アクリルブロック１１のツメ部１５は係止部１２ｂに当接するように側面が内側に傾斜している。このため、Ｌ字補強具１２の係止部１２ｂは透明アクリルブロック１１のツメ部１５を斜め上から押さえ付けることとなり、一対のＬ字補強具１２によってツメ部１５の両側面が押圧された透明アクリルブロック１１は、照明板３の透光孔５に確実に固定される。
【００２９】
図１０に示すように、透光孔５の一側にＬ字補強具１２を接着剤等で直接固定すると共に、透光孔５の他側にスタッド１３を取り付けた状態で、透明アクリルブロック１１を上方から透光孔５に落とし込むと、透明アクリルブロック１１はツメ部１５を残して透光孔５に挿入される。次に、Ｌ字補強具１２をスタッド１３に装着してナット１４で締め付けることにより、Ｌ字補強具１２は透明アクリルブロック１１のツメ部１５を斜め上から押さえ付ける。その結果、透明アクリルブロック１１は照明板３の透光孔５に確実に固定される。
【００３０】
以上のように、照明板３の剛性を確保するために取り付けられたＬ字補強具１２を透明アクリルブロック１１の固定用押え金として兼用することにより、透明アクリルブロック１１の固定用部品を削減することができる。また、透明アクリルブロック１１を両側方から固定する一対のＬ字補強具１２の内、照明板３にネジ止めするのは一方だけでよいため、従来に比べてネジ止めの工数が半減し、組立作業時間を短縮することができる。さらに、運搬時の振動やいたずら等によって、透明アクリルブロック１１に対して下から押し上げる力が掛かった場合であっても、透明アクリルブロック１１は一対のＬ字補強具１２によって確実に固定されるため、照明板３から透明アクリルブロック１１が外れるといった事態を未然に防止することができる。
なお、Ｌ字補強具１２の内曲げ角度は必ずしも鈍角に限定されることはなく、例えば、Ｌ字補強具１２の内曲げ角度を直角にして、係止部１２ｂの先端を外側に折り曲げて、透明アクリルブロック１１のツメ部１５を固定してもよい。
【００３１】
実施の形態４．
次に、実施の形態４に係るエレベータかご室天井照明装置を説明する。図１１は、実施の形態４に係るエレベータかご室天井照明装置の要部を拡大した部分断面図である。この実施の形態４が図３に示す実施の形態１と異なるのは、透明アクリルブロック６の代わりに、断面Ｔ字形状の透明アクリルブロック（照明ブロック）１６と、透明アクリルブロック１６を固定する押え部材１７とを備えている点である。その他の構成については実施の形態１と同一又は同等である。なお、実施の形態１と同一又は同等な構成部分については同一符号を付し、その説明は省略する。
【００３２】
図１１に示すように、透明アクリルブロック１６は断面Ｔ字形状を有し、両上端部には外側に張り出したツメ部１８が設けられている。そして、ツメ部１８の両側面にはＶ字溝（固定溝）１９が形成されている。また、押え部材１７は照明板３の上面における透光孔５の周縁部分に取り付けられ、Ｖ字溝１９に係合するようにＶ字状に立ち上がっている。なお、押え部材１７には、板バネなどの部材が用いられている。
【００３３】
次に、図１２に示すように、透明アクリルブロック１６を上方から透光孔５に落とし込むと、透明アクリルブロック１６はツメ部１８を残して透光孔５に挿入される。この際、両方のツメ部１８のＶ字溝１９に一対の押え部材１７がそれぞれ嵌まり込み、透明アクリルブロック１６は一対の押え部材１７によって両側方から押さえ付けられる。その結果、透明アクリルブロック１６は照明板３の透光孔５に確実に固定される。
【００３４】
以上のように、透明アクリルブロック１６を固定する押え部材１７として板バネなどの部材を用いることにより、取り付け取り外しが容易に行え、スタッドにナットを締め付けるなどの工程が省けるため、組立作業時間を短縮することができる。さらに、運搬時の振動やいたずら等によって、透明アクリルブロック１６に対して下から押し上げる力が掛かった場合であっても、透明アクリルブロック１６は一対の押え部材１７によって確実に固定されるため、照明板３から透明アクリルブロック１６が外れるといった事態を未然に防止することができる。
【００３５】
【発明の効果】
本発明に係るエレベータかご室天井照明装置は、以上のように構成されているため、次のような効果を得ることができる。
即ち、運搬時の振動やいたずら等によって、照明ブロックに対して下から押し上げる力が掛かった場合であっても、照明ブロックの固定溝は照明板の透光孔に嵌まり込んで確実に固定されるため、照明板から照明ブロックが外れることはない。
【００３６】
また、照明ブロックの上面に光拡散ブロックを固定して、照明ブロックの両側面が内側に押し縮まるのを阻止しているため、照明ブロックは透光孔に確実に固定される。
【００３７】
さらに、光拡散ブロックは照明ブロックの上面に接着剤等で直接固定されているので、従来のように、光拡散ブロックをスタッドとナットで固定する必要がなく、組立作業時間を短縮することができ、ナットの緩みなどによる照明板のガタツキを未然に防止することができる。
【図面の簡単な説明】
【図１】実施の形態１に係るエレベータかご室天井照明装置を下から見上げた状態を示す平面図である。
【図２】図１のエレベータかご室天井照明装置のＣ−Ｃ断面図である。
【図３】図２のＤ部断面図である。
【図４】照明板への透明アクリルブロックの取り付け工程を示す断面図である。
【図５】照明板への透明アクリルブロックの取り付け工程を示す斜視図である。
【図６】実施の形態２に係るエレベータかご室天井照明装置の要部を拡大した部分断面図である。
【図７】照明板への透明アクリルブロックの取り付け工程を示す断面図である。
【図８】照明板への透明アクリルブロックの取り付け工程を示す斜視図である。
【図９】実施の形態３に係るエレベータかご室天井照明装置の要部を拡大した部分断面図である。
【図１０】照明板への透明アクリルブロックの取り付け工程を示す斜視図である。
【図１１】実施の形態４に係るエレベータかご室天井照明装置の要部を拡大した部分断面図である。
【図１２】照明板への透明アクリルブロックの取り付け工程を示す斜視図である。
【図１３】第１の従来例に係るエレベータかご室天井照明装置を下から見上げた状態を示す平面図である。
【図１４】図１３のエレベータかご室天井照明装置のＡ−Ａ断面図である。
【図１５】図１４のＢ部断面図である。
【図１６】第２の従来例に係るエレベータかご室天井照明装置の要部を拡大した部分断面図である。
【図１７】第２の従来例に係るエレベータかご室天井照明装置の要部を拡大した部分断面図である。
【図１８】第２の従来例に係るエレベータかご室天井照明装置の要部を拡大した部分断面図である。
【符号の説明】
１…天蓋、２…照明灯、３…照明板、４…吊り下げ具、５…透光孔、６，１１，１６…透明アクリルブロック（照明ブロック）、７，１０…乳白アクリル板（光拡散ブロック）、８，１５，１８…ツメ部、９…固定溝、１２…Ｌ字補強具、１２ａ…基体部、１２ｂ…係止部、１３…スタッド、１４…ナット、１７…押え部材、１９…Ｖ字溝（固定溝）。
【図１】
0004080215.tif 000002
【図２】
0004080215.tif 000003
【図３】
0004080215.tif 000004
【図４】
0004080215.tif 000005
【図５】
0004080215.tif 000006
【図６】
0004080215.tif 000007
【図７】
0004080215.tif 000008
【図８】
0004080215.tif 000009
【図９】
0004080215.tif 000010
【図１０】
0004080215.tif 000011
【図１１】
0004080215.tif 000012
【図１２】
0004080215.tif 000013
【図１３】
0004080215.tif 000014
【図１４】
0004080215.tif 000015
【図１５】
0004080215.tif 000016
【図１６】
0004080215.tif 000017
【図１７】
0004080215.tif 000018
【図１８】
0004080215.tif 000019